(57)【要約】【課題】あらかじめ電話帳に登録した電話番号を、少ない操作で呼び出すことができる通信端末を提供する。【解決手段】ユーザが携帯電話機１０の電話帳に名前と電話番号を新規登録すると、データ変換部９は入力した名前の読み仮名を数字列に変換し、電話帳データベース２に格納する。ユーザが操作部４を用いて、呼び出したい名前の文字が含まれる５０音の行を割り当てた数字を１回ずつ押下して検索すると、ＣＰＵ１は電話帳データベース２から数字列を検索し、該当する数字列を含む個人データから名前と電話番号を取得し、表示部５に表示させる。【選択図】      図１
2004248151.tif 000002
【特許請求の範囲】
【請求項１】
電話帳機能を有する通信端末において、
個人データを入力する入力手段と、
前記入力手段により入力された個人データ内の名前文字を、数字列に変換する変換手段と、
前記変換手段によって変換された前記数字列と前記個人データとを関連付けて記憶する記憶手段と、
前記入力手段によって入力された数字列に基づいて、前記記憶手段から前記個人データを検索する検索手段と、
前記検索手段により一致した前記個人データを表示する表示手段と
を有する通信端末。
【請求項２】
前記検索手段は、前記数字列の先頭から少なくとも一部が一致しているものを検索し、
検索した結果、該当する数字列が複数ある場合、前記表示手段は、該数字列に関連付けされた複数の個人データをすべて表示する
ことを特徴とする請求項１記載の通信端末。
【請求項３】
前記表示手段で前記個人データを表示中に発呼操作を行うと、該電話番号に発呼する
ことを特徴とする請求項１または２に記載の通信端末。
【発明の詳細な説明】
【０００１】
【発明の属する技術分野】
本発明は、電話帳機能を有する通信端末に関する。
【０００２】
【従来の技術】
従来、携帯電話等で電話帳に登録された電話番号を、電話番号と共に登録した相手の名前により検索する場合、まず電話帳機能を起動させ、名前の頭の一部、または全部をテンキーにより入力する。通常、各テンキーには、１＝ア行、２＝カ行、３＝サ行のように文字が割り当てられているため、この場合の文字入力も、各テンキーを１回ないし複数回押下して行う。各テンキーの文字割り当てを図６に示す。
こうして名前の頭の一部、または全部を入力したのちに、検索ボタンを押下すなどの操作を行うと、該当する名前を検索し、その名前が登録された個人データを最優先候補として、電話帳に登録された名前が個人データとともに５０音順で表示される。該当する名前の候補が複数存在する場合には、その名前の候補の中から５０音順に表示され、存在しない場合には５０音順で最も近い名前から順に表示される。
しかし、この検索手順では、テンキーを複数回押下して文字入力を行うなど、多くの操作を行う必要があった。また、電話帳データを多数登録している場合、名前の頭の一部を入力すると数多くの候補が表示される可能性が高い。また、検索候補は常に５０音順に表示されるため、頻繁に呼び出したい個人データが、検索候補の中で下位に存在する可能性もある。
ところで、文字データの作成方法として、テンキーボタンの子音キーを１度ずつ押下していくと、子音列に当てはまる文字が表示されるものもある（例えば、特許文献１参照）。
【０００３】
【特許文献１】
特開２００１−１０３１４４号公報
【０００４】
【発明が解決しようとする課題】
特許文献１での文字入力方法は簡便だが、この入力方法を電話帳に利用して検索の手間を軽減する方法は考えられていない。
この発明はこのような点を鑑みてなされたもので、あらかじめ電話帳に登録した電話番号を、少ない操作で呼び出すことができる通信端末を提供することを目的としている。
【０００５】
【課題を解決するための手段】
上記した目的を達成するために、請求項１記載の通信端末は、電話帳機能を有する通信端末において、個人データを入力する入力手段と、前記入力手段により入力された個人データ内の名前文字を、数字列に変換する変換手段と、前記変換手段によって変換された前記数字列と前記個人データとを関連付けて記憶する記憶手段と、前記入力手段によって入力された数字列に基づいて、前記記憶手段から前記個人データを検索する検索手段と、前記検索手段により一致した前記個人データを表示する表示手段とを有する。
【０００６】
請求項２記載の発明は、請求項１記載の通信端末において、前記検索手段は、前記数字列の先頭から少なくとも一部が一致しているものを検索し、検索した結果、該当する数字列が複数ある場合、前記表示手段は、該数字列に関連付けされた複数の個人データをすべて表示することを特徴とする。
【０００７】
請求項３記載の発明は、請求項１または２に記載の通信端末において、前記表示手段で前記個人データを表示中に発呼操作を行うと、該電話番号に発呼することを特徴とする。
【０００８】
【発明の実施の形態】
以下、図面を参照して本発明の実施の形態を説明する。
図１は、本発明の一実施形態に係る通信端末を適用した携帯電話機１０の概略構成を示すブロック図である。１はＣＰＵ（検索手段）であり、携帯電話機１０の各部を制御する。２は名前や電話番号などを記憶する電話帳データベース（記憶手段）、３は外部との通信を行う無線送受信部、４はテンキー等入力を行う操作部（入力手段）、５は表示部（表示手段）、６は音声処理部、７はＣＰＵ１の動作プログラムを記憶するＲＯＭ（リードオンリメモリ）、８はデータ一時記憶用のＲＡＭ（ランダムアクセスメモリ）、９は仮名文字を数字に変換するデータ変換部（変換手段）である。
【０００９】
次に、上記構成の携帯電話機１０の動作について説明する。まず、電話帳データベース２に名前と電話番号を登録する際の動作について、図２を参照して説明する。ユーザが操作部４のボタンを押下して、電話帳への新規登録を指示すると、ＣＰＵ１は表示部５に電話帳作成画面を表示させる（ステップＳａ１）。ユーザは新規登録したい名前の文字を、従来の技術と同様に操作部４の各テンキーを１回ないし複数回押下して、表示部５に表示された名前の欄に入力する。文字が確定したら、ユーザは操作部４の変換キーを押下して入力した文字を漢字変換する。名前の入力を終了したらユーザは名前確定ボタンを押下する（ステップＳａ３）。ＣＰＵ１は入力した名前の読みを取得してカタカナによる読み仮名に変換し、表示部５の読み仮名の欄に表示させる（ステップＳａ５）。次に、ユーザは操作部４のテンキーで電話番号を表示部５の電話番号欄に入力し、登録ボタンを押下する（ステップＳａ６）。
【００１０】
ＣＰＵ１は、ステップＳａ５で取得した名前の読み仮名をデータ変換部９に送る。データ変換部９はこの読み仮名を以下の対応に従い、１文字につき１つの数字に置き換える（ステップＳａ７）（図６参照）。
ア行；「あ、い、う、え、お、ぁ、ぃ、ぅ、ぇ、ぉ」のいずれかの文字＝１
カ行；「か、き、く、け、こ」のいずれかの文字＝２
サ行；「さ、し、す、せ、そ」のいずれかの文字＝３
タ行；「た、ち、つ、て、と、っ」のいずれかの文字＝４
ナ行；「な、に、ぬ、ね、の」のいずれかの文字＝５
ハ行；「は、ひ、ふ、へ、ほ」のいずれかの文字＝６
マ行；「ま、み、む、め、も」のいずれかの文字＝７
ヤ行；「や、ゆ、よ、ゃ、ゅ、ょ」のいずれかの文字＝８
ラ行；「ら、り、る、れ、ろ」のいずれかの文字＝９
ワ行、その他；「わ、を、ん、ー」のいずれかの文字＝０
濁点、半濁点＝＊
つまり、ステップＳａ７の処理においてデータ変換部９は、読み仮名の文字１つに対して、その文字が含まれている５０音の行に対応した数字１つに変換する。例えば、「サ」であればサ行なので「３」、「ト」であればタ行なので「４」と変換される。
次にＣＰＵ１はデータ変換部９で変換された数字を取得し、変換前の読み仮名順にまとめて数字列を作成する（ステップＳａ８）。よって、「サトウ」であれば「３４１」、「ハナコ」であれば「６５２」となる。また「ストウ」も「３４１」となる。
次にＣＰＵ１は、ステップＳａ３で入力された名前、ステップＳａ６で入力された電話番号、ステップＳａ５で変換された読み仮名、ステップＳａ８で作成された数字列を１つの個人データとして電話帳データベース２に格納する（ステップＳａ９）。図３に電話帳データベース２への登録内容の例を示す。
【００１１】
次に、名前を入力して電話番号を検索する動作について、図４を参照にして説明する。ここでは、名前「佐藤太郎」の電話番号を呼び出す例を示す。表示部５が初期画面を表示中、ユーザは操作部４を用いて、呼び出したい名前の文字が含まれる５０音の行を割り当てたテンキーを１回ずつ押下する（ステップＳｂ１）。つまり、「サ」の文字が含まれるサ行に割り当てられたテンキー「３」、「ト」が含まれるタ行のテンキー「４」、「ウ」が含まれるア行のテンキー「１」をそれぞれ１回ずつ押下する。ＣＰＵ１は、表示部５にユーザが押下したテンキーの数字「３４１」を表示させる。
ユーザが操作部４の検索キーを押下すると（ステップＳｂ３で「Ｙｅｓ」）、ＣＰＵ１は電話帳データベース２から、数字列の頭に「３４１」が書かれているものを検索する（ステップＳｂ５）。検索キーを押下しない場合は（ステップＳｂ３で「Ｎｏ」）、引き続きステップＳｂ１の処理を行う。電話帳データベース２に該当する数字列が存在した場合（ステップＳｂ７で「Ｙｅｓ」）、ＣＰＵ１は、該当した数字列「３４１」を含む個人データから名前と電話番号を取得し、その名前「佐藤太郎」と電話番号とを表示部５に表示させる（ステップＳｂ９）。該当する数字列の検索候補が電話帳データベース２に複数存在する場合は、ＣＰＵ１は該当する数字列を含む複数の個人データから検索候補の名前と電話番号すべてを取得し、名前を５０音順に並べて、それぞれ電話番号とともに表示部５に表示させる。該当する数字列の検索候補が存在しない場合（ステップＳｂ７で「Ｎｏ」）、ＣＰＵ１は電話帳データベース２に登録された全ての名前を５０音順に並べ、検索候補に最も近い数字列を含む個人データ内の名前から順に、電話番号とともに表示部５に表示させる（ステップＳｂ１１）。
ユーザは、表示部５に表示された電話番号を選択して発呼ボタンを押下する（ステップＳｂ１３）。ＣＰＵ１は、無線送受信部３を介して選択された電話番号の端末との通信を行う。図５は表示部５における画面遷移のイメージを表す。
【００１２】
以上説明したように、本実施形態によれば、携帯電話機において電話帳からの検索を行う場合、少ないキー操作で可能であり、例えば呼び出したい名前がエ段やオ段などであっても、同じキーを複数回押す必要がなくなる。
【００１３】
以上、本発明の実施形態について図面を参照して詳述してきたが、具体的な構成はこの実施形態に限られるものではなく、本発明の要旨を逸脱しない範囲の設計変更等も含まれる。
【００１４】
例えば、上記実施形態では、検索候補が複数存在している場合に、名前と電話番号を５０音順で並べて表示する構成としたが、本発明はこれに限定されるものではなく、多く使われた順で表示される構成としてもよい。これにより、さらに効率的な検索が可能である。
また、検索キーを押下しなくても、数字が入力される毎に一致する個人データを表示するようにしてもよく、さらに、入力数字と個人データを別に表示してもよい。
また、上記実施形態における携帯電話端末の代わりに、無線通信機能を備えた携帯型パーソナル・コンピュータ又はＰＤＡ（Ｐｅｒｓｏｎａｌ  Ｄｉｇｉｔａｌ  Ａｓｓｉｓｔａｎｃｅ）に本発明を適用してもよい。
【００１５】
【発明の効果】
以上の説明で明らかなように、本発明によれば、通信端末において、名前を数字列に変換し、個人データと関連付けて記憶することで、少ないキー操作で個人データの検索を行うことができ、入力の煩雑さを解消することができる。
【図面の簡単な説明】
【図１】本発明の一実施形態に係る携帯電話機１０の概略構成を示すブロック図である。
【図２】同実施形態における電話帳への登録動作を示すフローチャートである。
【図３】同実施形態における電話帳データベース２への登録内容の例を示す図である。
【図４】同実施形態における電話番号を検索する動作を示すフローチャートである。
【図５】同実施形態における電話番号を検索する際の、表示部５における画面遷移のイメージである。
【図６】携帯電話機のテンキーと文字の割り当てを示す図である。
【符号の説明】
１…ＣＰＵ、２…電話帳データベース、３…無線送受信部、４…操作部、５…表示部、６…音声処理部、７…ＲＯＭ、８…ＲＡＭ、９…データ変換部、１０…携帯電話機
【図１】
2004248151.tif 000003
【図２】
2004248151.tif 000004
【図３】
2004248151.tif 000005
【図４】
2004248151.tif 000006
【図５】
2004248151.tif 000007
【図６】
2004248151.tif 000008